(57)【要約】【課題】画像形成装置の操作パネルユニットを使用姿勢及び収納姿勢となるようにスムーズに動作させる。【解決手段】収納姿勢と使用姿勢に回転自在な操作パネルユニット５に、圧縮コイルばね５７に付勢されたボタン部材５３と、基端側がボタン部材５３に回転自在に連結され、中央部が回転自在に軸支された第１連結部材５４と、基端側が第１連結部材５４の先端側に回転自在に連結される第２連結部材５５と、一端側が前記第２連結部材５５の先端側に回転自在に連結され、回転自在に軸支された係止部材５６を設ける。係止部材５６は、操作パネルユニットが使用姿勢にあるとき、当接部２２ｂに係止される。ボタン部材５３を押し込むと、係止部材５６は第１連結部材５４及び第２連結部材５５を介して回転し突出部５２ｂに格納されて、容易に係止状態を解除できる。【選択図】図３
2008203770.tif 000002
【特許請求の範囲】
【請求項１】
スキャナ筐体と、前記スキャナ筐体の下部に設けられたプリンタ筐体とを有する筐体と、
前記スキャナ筐体の上部に設けられた略矩形状の原稿台と、前記原稿台の側方に設けられた前後方向が長手方向となる帯状の透過窓と、原稿を順次搬送するオートドキュメントフィーダとを有し、前記原稿台上に載置された原稿又はオートドキュメントフィーダにより前記透過窓を通過した原稿を画像データとして読み取るスキャナ部と、
前記プリンタ筐体の内部に設けられ、前記スキャナ部により読み取られた原稿の画像データ又は外部装置から入力された画像データに基づいて記録紙に画像を形成する画像形成部と、
前記プリンタ筐体の前面に設けられ、前記スキャナ部及び前記画像形成部等における各種操作を行う操作パネルユニットとを備え、
前記操作パネルユニットは、各種機能が割り当てられた操作ボタン及び各部の動作状態等を表示する液晶表示部が配列された操作パネル板と、前記操作パネル板の背面に取り付けられ、高さ方向の上側が前記プリンタ筐体に回転自在に支持されたリアカバーとを有し、前記操作パネル板の操作ボタン配列面が前記プリンタ筐体の前面に対して略平行となる収納姿勢から前記プリンタ筐体の前面に対して所定の角度に傾斜する使用姿勢まで回転可能であり、
前記操作パネルユニットが前記使用姿勢にあるとき、前記操作パネル板での操作によって前記操作パネルユニットが回転しないように係止した画像形成装置において、
前記リアカバー上部中央には、前記操作パネル板とは反対側に突出するように突出部が形成され、前記収納姿勢では、前記突出部のほぼ全体が前記プリンタ筐体の内部に位置し、前記使用姿勢では、前記突出部のほぼ全体が前記プリンタ筐体の外部に位置し、
前記操作パネルユニットは、
前記リアカバーの下部に配置され、前記操作パネル板に対して垂直な方向に摺動可能に設けられたボタン部材と、
前記操作パネル板の背面と前記ボタン部材の間に設けられ、前記ボタン部材を前記操作パネル板とは反対側に付勢する圧縮コイルばねと、
前記リアカバーの前記突出部の先端側に回転自在に設けられ、前記使用姿勢において前記プリンタ筐体の前面に係止される係止部材と、
前記操作パネル板と前記リアカバーで形成される空間内に設けられ、基端側が前記ボタン部材に連結されると共に、中央部が回転自在に軸支された第１連結部材と、
前記操作パネル板と前記リアカバーで形成される空間内に設けられ、基端側が前記第１連結部材の先端側に回転自在に連結され、先端側が前記係止部材に回転自在に連結された第２連結部材とをさらに備え、
前記圧縮コイルばねが伸びて前記ボタン部材を付勢している状態では、前記第１連結部材及び前記第２連結部材を介して、前記圧縮コイルばねの付勢力が前記係止部材に伝達され、前記係止部材の先端が前記突出部の外側に突出し、
前記使用姿勢であって前記係止部材が前記プリンタ筐体に係止されている状態において、前記圧縮コイルばねの付勢力に抗して前記ボタン部材を前記リアカバーの内側に押し込むことにより、前記第１連結部材及び前記第２連結部材を介して、前記係止部材が所定方向に回転され、前記係止部材の先端が前記突出部の内側に格納され、それによって前記係止部材と前記プリンタ筐体の係止が解除され、前記収納姿勢に復帰させることが可能であることを特徴とする画像形成装置。
【請求項２】
原稿を画像データとして読み取るスキャナ部と、
前記スキャナ部により読み取られた原稿の画像データ又は外部装置から入力された画像データに基づいて記録紙に画像を形成する画像形成部と、
前記スキャナ部及び前記プリンタ部を収容する筐体と、
前記筐体の前面に設けられ、各種操作を行う操作パネルユニットとを備え、
前記操作パネルユニットは、その操作ボタン配列面が前記プリンタ筐体の前面に対して略平行となる収納姿勢と、前記プリンタ筐体の前面に対して所定の角度に傾斜する使用姿勢とに回転可能であり、
前記操作パネルユニットが前記使用姿勢にあるとき、前記操作パネルユニットが回転しないように係止した画像形成装置において、
前記操作パネルユニットは、その背面側に設けられ、前記使用姿勢において前記プリンタ筐体の前面に係止される係止部材と、前記係止部材とリンクされたボタン部材と、前記係止部材を外側に突出させるように、前記ボタン部材を所定方向に付勢するばね部材を備え、
前記使用姿勢であって前記係止部材が前記プリンタ筐体に係止されている状態において、前記ばねの付勢力に抗して前記ボタン部材を前記所定方向とは逆方向に押し込むことにより、前記係止部材の先端が前記操作パネルユニットの内側に格納され、それによって前記係止部材と前記プリンタ筐体の係止が解除され、前記収納姿勢に復帰させることが可能であることを特徴とする画像形成装置。
【発明の詳細な説明】
【技術分野】
【０００１】
本発明は、原稿を画像データとして読み取る機能を有するスキャナ部と、読み取られた原稿の画像データに基づいて記録紙に画像を形成する画像形成部とを備えた画像形成装置に関し、特にその装置の各種操作を行う操作パネルユニットに関する。
【背景技術】
【０００２】
一般に、原稿を画像データとして読み取る機能を有するスキャナ部と、読み取られた原稿の画像データ又は外部装置から入力された画像データに基づいて記録紙に画像を形成する画像形成部と備えた、いわゆるオールインワン型の画像形成装置では、スキャナ部及び画像形成部等における各種操作を行う操作パネルユニットが、筐体の前方に設けられている。この操作パネルユニットは、装置全体のサイズアップを伴わないように、また操作パネルユニットに配置された操作ボタン等の操作性を向上させるため、その高さ方向の上側が軸支され、操作パネルユニット前面が筐体の前面に対して略平行となる収納姿勢から、筐体の前面に対して所定の角度に傾斜する使用姿勢まで回転可能であって、使用姿勢においてボタン操作等によって回転しないように筐体に係止されているものがある。
【０００３】
ところで、上述のような操作パネルユニットにおいては、構造の簡素化を図るため、操作パネルユニットを筐体に係止させる係止部材を、操作パネルユニットの後部に位置するリアカバーに一体的に形成し、操作パネルユニットの係止状態を解除する際には、係止部材又はその周辺部位を押し込み、それらを弾性変形させるように構成したものがある。しかしながら、係止部材又はその周辺部位は、操作パネルユニットのボタン操作等によるガタツキを抑えるため、高剛性で形成されており、それらを押し込む際には大きな力を必要とする。そのため、操作パネルユニットの収納作業が煩雑であり、ときにはリアカバーを破損させてしまう虞があった。
【０００４】
なお、開閉機構を有した操作パネルの構造として、例えば、特許文献１では、操作パネルの裏面に板ばねを設け、回転位置によって操作パネルに所定の力が加わるように付勢させて、操作パネルが所定の係止部分に係止されて完全に閉じられると、その状態を維持できるようにしたものが開示されている。また、特許文献２では、操作パネルの回転軸にカム部を形成し、そのカム部に板ばねを設け、操作パネルを所定の位置まで手動で閉じると、その後は板ばねの反力によって自動的に閉じるようにしたものが開示されている。また、特許文献３では、操作パネルに対向する筐体の前面部に衝撃を吸収する衝撃緩衝材を設け、操作パネルを閉じる際に大きな力が加わっても、筐体部に大きな衝撃が作用しないようにしたものが開示されている。しかしながら、これら各特許文献には、上述したような問題を解決する構造等は示されていない。
【特許文献１】特開２００１−０５３４５５号公報
【特許文献２】特開平０９−０４６０５３号公報
【特許文献３】特開平０８−３０７０６６公報
【発明の開示】
【発明が解決しようとする課題】
【０００５】
本発明は、上記問題を解決するためになされたものであり、簡便な構成でありながら、リアカバーを破損させることなく操作パネルユニットを使用姿勢及び収納姿勢となるようにスムーズに動作させることができる画像形成装置を提供することを目的とする。
【課題を解決するための手段】
【０００６】
上記目的を達成するために請求項１の発明は、スキャナ筐体と、前記スキャナ筐体の下部に設けられたプリンタ筐体とを有する筐体と、前記スキャナ筐体の上部に設けられた略矩形状の原稿台と、前記原稿台の側方に設けられた前後方向が長手方向となる帯状の透過窓と、原稿を順次搬送するオートドキュメントフィーダとを有し、前記原稿台上に載置された原稿又はオートドキュメントフィーダにより前記透過窓を通過した原稿を画像データとして読み取るスキャナ部と、前記プリンタ筐体の内部に設けられ、前記スキャナ部により読み取られた原稿の画像データ又は外部装置から入力された画像データに基づいて記録紙に画像を形成する画像形成部と、前記プリンタ筐体の前面に設けられ、前記スキャナ部及び前記画像形成部等における各種操作を行う操作パネルユニットとを備え、前記操作パネルユニットは、各種機能が割り当てられた操作ボタン及び各部の動作状態等を表示する液晶表示部が配列された操作パネル板と、前記操作パネル板の背面に取り付けられ、高さ方向の上側が前記プリンタ筐体に回転自在に支持されたリアカバーとを有し、前記操作パネル板の操作ボタン配列面が前記プリンタ筐体の前面に対して略平行となる収納姿勢から前記プリンタ筐体の前面に対して所定の角度に傾斜する使用姿勢まで回転可能であり、前記操作パネルユニットが前記使用姿勢にあるとき、前記操作パネル板での操作によって前記操作パネルユニットが回転しないように係止した画像形成装置において、前記リアカバー上部中央には、前記操作パネル板とは反対側に突出するように突出部が形成され、前記収納姿勢では、前記突出部のほぼ全体が前記プリンタ筐体の内部に位置し、前記使用姿勢では、前記突出部のほぼ全体が前記プリンタ筐体の外部に位置し、前記操作パネルユニットは、前記リアカバーの下部に配置され、前記操作パネル板に対して垂直な方向に摺動可能に設けられたボタン部材と、前記操作パネル板の背面と前記ボタン部材の間に設けられ、前記ボタン部材を前記操作パネル板とは反対側に付勢する圧縮コイルばねと、前記リアカバーの前記突出部の先端側に回転自在に設けられ、前記使用姿勢において前記プリンタ筐体の前面に係止される係止部材と、前記操作パネル板と前記リアカバーで形成される空間内に設けられ、基端側が前記ボタン部材に連結されると共に、中央部が回転自在に軸支された第１連結部材と、前記操作パネル板と前記リアカバーで形成される空間内に設けられ、基端側が前記第１連結部材の先端側に回転自在に連結され、先端側が前記係止部材に回転自在に連結された第２連結部材とをさらに備え、前記圧縮コイルばねが伸びて前記ボタン部材を付勢している状態では、前記第１連結部材及び前記第２連結部材を介して、前記圧縮コイルばねの付勢力が前記係止部材に伝達され、前記係止部材の先端が前記突出部の外側に突出し、前記使用姿勢であって前記係止部材が前記プリンタ筐体に係止されている状態において、前記圧縮コイルばねの付勢力に抗して前記ボタン部材を前記リアカバーの内側に押し込むことにより、前記第１連結部材及び前記第２連結部材を介して、前記係止部材が所定方向に回転され、前記係止部材の先端が前記突出部の内側に格納され、それによって前記係止部材と前記プリンタ筐体の係止が解除され、前記収納姿勢に復帰させることが可能であるものである。
【０００７】
請求項２の発明は、原稿を画像データとして読み取るスキャナ部と、前記スキャナ部により読み取られた原稿の画像データ又は外部装置から入力された画像データに基づいて記録紙に画像を形成する画像形成部と、前記スキャナ部及び前記プリンタ部を収容する筐体と、前記筐体の前面に設けられ、各種操作を行う操作パネルユニットとを備え、前記操作パネルユニットは、その操作ボタン配列面が前記プリンタ筐体の前面に対して略平行となる収納姿勢と、前記プリンタ筐体の前面に対して所定の角度に傾斜する使用姿勢とに回転可能であり、前記操作パネルユニットが前記使用姿勢にあるとき、前記操作パネルユニットが回転しないように係止した画像形成装置において、前記操作パネルユニットは、その背面側に設けられ、前記使用姿勢において前記プリンタ筐体の前面に係止される係止部材と、前記係止部材とリンクされたボタン部材と、前記係止部材を外側に突出させるように、前記ボタン部材を所定方向に付勢するばね部材を備え、前記使用姿勢であって前記係止部材が前記プリンタ筐体に係止されている状態において、前記ばねの付勢力に抗して前記ボタン部材を前記所定方向とは逆方向に押し込むことにより、前記係止部材の先端が前記操作パネルユニットの内側に格納され、それによって前記係止部材と前記プリンタ筐体の係止が解除され、前記収納姿勢に復帰させることが可能であるものである。
【発明の効果】
【０００８】
請求項１の発明によれば、使用姿勢であって係止部材がプリンタ筐体に係止されている状態において、圧縮コイルばねの付勢力に抗してボタン部材をリアカバーの内側に押し込むことにより、第１連結部材及び第２連結部材を介して、係止部材が所定方向に回転され、係止部材の先端が突出部の内側に格納され、それによって係止部材とプリンタ筐体の係止が解除される。また、ボタン部材はリアカバーの下部に配置されているので、ボタン部材を押し込み易い。従って、リアカバーに不要な力が加えられることはなく、リアカバーの破損を防止できる。また、圧縮コイルばねが伸びてボタン部材を付勢している状態では、係止部材の先端は突出部の外側に突出しているので、操作パネルユニットを使用姿勢に回転させるとき、係止部材が当接部に当接し、突出部の内部へ押し込まれる。係止部材は当接部を乗り越えると、圧縮コイルばねの付勢力により、突出部の下面から突出する。そのため、操作パネルユニットをプリンタ筐体に容易に係止させることができる。
【０００９】
請求項２の発明によれば、使用姿勢であって係止部材がプリンタ筐体に係止されている状態において、圧縮コイルばねの付勢力に抗してボタン部材をリアカバーの内側に押し込むことにより、第１連結部材及び第２連結部材を介して、係止部材が所定方向に回転され、係止部材の先端が突出部の内側に格納され、それによって係止部材とプリンタ筐体の係止が解除される。従って、リアカバーに不要な力が加えられることはなく、リアカバーの破損を防止できる。
【発明を実施するための最良の形態】
【００１０】
本発明の一実施形態に係る画像形成装置について図面を参照して説明する。図１は本実施形態に係る画像形成装置の外観構成を示す。この画像形成装置１は、いわゆるオールインワン型のものであり、スキャナ筐体２１とスキャナ筐体２１の下部に設けられたプリンタ筐体２２とを有する樹脂製の筐体２と、プリンタ筐体２２の上方に配置され、原稿（図示せず）を画像データとして読み取るスキャナ部３と、プリンタ筐体２２の内部に設けられ、スキャナ部３により読み取られた原稿の画像データ又は外部装置から入力された画像データに基づいて記録紙１０に画像を形成する画像形成部４と、プリンタ筐体２２の前面に設けられ、スキャナ部３及び画像形成部４等における各種操作を行う操作パネルユニット５と、筐体２前面の側方部に配置され、デジタルスチルカメラやメモリーカード等の外部機器が接続されるコネクタ部６等を備えている。なお、この装置にモデム等の通信機器が備われば、ファクシミリとしても使用可能である。
【００１１】
プリンタ筐体２２の背面には、画像形成部４に搬送される記録紙１０がセットされる給紙トレイ７が設けられており、画像形成部４の前面には、排紙トレイ８がプリンタ筐体２２に引き出し及び収納自在に設けられており、画像形成部４により画像が形成され、プリンタ筐体２２の前方に排出される記録紙１０を受け止める。なお、排紙トレイ８はこのような引き出し及び収納自在とされているものに限られるものではなく、例えばプリンタ筐体２２に支持され、開閉自在とされているものや、脱着式のものであってもよい。
【００１２】
この画像形成装置１は、例えば、コネクタ部６等に接続された外部機器や、例えばプリンタ筐体２２の背部に設けられたコネクタ（図示せず）を介して接続された外部のパーソナルコンピュータ等から入力された画像データ等や、スキャナ部３により読み取られた画像データ等を用いて、画像形成部４により記録紙１０に画像を形成する機能を有している。
【００１３】
スキャナ部３は、いわゆるフラットベッド型のものであり、プリンタ筐体２２とは別体に構成されたスキャナ筐体２１の上面に配置された略矩形形状の原稿台３１と、その原稿台３１の側方に、画像形成装置１の前後方向が長手方向となるように帯状に配置された透過窓３２とを有している。原稿台３１及び透過窓３２は、透過性を有する材料で形成されており、例えばガラス板により構成されている。スキャナ部３の原稿台３１の上方には、スキャナ筐体２１の上面を覆うようにスキャナ筐体２１に開閉自在に配設された原稿カバー３３が設けられている。原稿カバー３３の上部には、センターレジスト方式により原稿を順次搬送するオートドキュメントフィーダ（以下、ＡＤＦと称する）３４が設けられている。
【００１４】
スキャナ筐体２１の内部には、例えば、モータと、モータにより駆動されるＣＩＳ（Contact Image Sensor）等で構成された、原稿を画像データとして読み取るための読取部（図示せず）が収納されている。スキャナ部３は、原稿台３１に沿ってＣＩＳをスキャナ筐体２１の内部で移動させ、ＣＩＳにより原稿台３１に載置された原稿を撮像し、その原稿を画像データとして読み取るように構成されている。また、スキャナ部３は、ＡＤＦ３４により原稿を搬送させながら、搬送される原稿の表面を、透過窓３２に通してＣＩＳにより読み取ることにより、その原稿を画像データとして読み取るように構成されている。なお、スキャナ部３は、例えばＣＣＤ等の撮像素子を用いた読取部により原稿を読み取り可能に構成されていてもよい。
【００１５】
画像形成部４は、いわゆるインクジェット方式により記録紙１０に画像を形成する。画像形成部４は、例えば、記録紙１０を給紙トレイ７から一枚ずつプリンタ筐体２２の内部に給紙して、排紙トレイ８上に排出するローラやローラを駆動するモータ等を有する記録紙搬送機構（図示せず）や、プリンタ筐体２２の内部に搬送された記録紙１０にインクを吐出する記録ヘッドを搭載したキャリッジ（図示せず）や、キャリッジを記録紙１０の搬送方向に略直交する方向に往復駆動させるモータ（図示せず）及び駆動ベルト（図示せず）等で構成されている。なお、画像形成部４は、例えば電子写真方式や熱転写方式等により記録紙１０に画像を形成するようなものであってもよい。
【００１６】
図２及び図３は、本実施形態に係る画像形成装置の操作パネルユニットを示す。操作パネルユニット５は、各種機能が割り当てられた操作ボタン５１ａ及び各部の動作状態等を表示する液晶表示部５１ｂが配列された操作パネル板５１と、操作パネル板５１の背面に取り付けられたリアカバー５２と、リアカバー５２の下端側中央部に形成された穴５２ｃに嵌合され、穴５２ｃの内部に押し込み可能なボタン部材５３とを有している。
【００１７】
操作パネル板５１は、その前面の開口から露出した操作ボタン５１ａが押圧されることで、操作パネルユニット５内部に配置された回路基板に実装されたスイッチ（図示せず）が動作され、例えば、スキャナ部３による原稿読み取りの開始や各種パラメータの設定等が行われるように構成されている。
【００１８】
リアカバー５２の背面（操作パネル板５１とは反対側の面）上部の両側部近傍には、プリンタ筐体２２に配設された回転軸２２ａが挿入される軸受部５２ａが形成されている。これにより、操作パネルユニット５を、操作パネル板５１の操作ボタン配列面５１ｃがプリンタ筐体２２の前面に対して略平行となる収納姿勢からプリンタ筐体２２の前面に対して所定の角度まで傾斜する使用姿勢まで回転させることができる。さらに、リアカバー５２の背面中央には、操作パネル板５１とは反対側に突出するように突出部５２ｂが形成されている。突出部５２ｂの下面は、操作パネルユニット５を回転させる際、プリンタ筐体２２と干渉しないように湾曲している。
【００１９】
操作パネル板５１の背面とボタン部材５３の間には、圧縮コイルばね５７が取り付けられており、ボタン部材５３を操作パネル板５１とは反対側に付勢している。リアカバー５２の突出部５２ｂには、使用姿勢においてプリンタ筐体２２の前面に係止される係止部材５６が設けられている。操作パネル板５１とリアカバー５２で形成される空間内には、基端側がボタン部材５３に連結されると共に、中央部が回転自在に軸支された第１連結部材５４と、基端側が第１連結部材５４の先端側に回転自在に連結され、先端側が係止部材５６に回転自在に連結された第２連結部材５５が設けられている。第１連結部材５４及び第２連結部材５５は、第２連結部材５５が係止部材５６の両側部それぞれの近傍に当接するように、２組配置されている。係止部材５６は、突出部５２ｂの先端側に回転自在に設けられており、ボタン部材５３が押し込まれていない状態において、係止部材５６の先端が突出部５２ｂに形成された開口５２ｄから突出している。操作パネルユニット５が使用姿勢にあるとき、すなわち、操作パネル板５１がプリンタ筐体２２の前面に対して所定の位置（例えば約４５°）に傾斜されたとき、プリンタ筐体２２に設けられた当接部２２ｂに係止部材５６の先端が係止される。
【００２０】
次に、上記のように構成された本実施形態の操作パネルユニットの動作について説明する。図３（ａ）に示すように、操作パネルユニット５が収納姿勢にあるとき、ボタン部材５３は圧縮コイルばね５７に付勢されて、リアカバー５２とほぼ同面に位置している。このとき、圧縮コイルばね５７の付勢力は、ボタン部材５３、第１連結部材５４及び第２連結部材５５を介して係止部材５６に伝達され、係止部材５６の先端は突出部５２ｂから突出した状態に保持されている。次に、図３（ｂ）に示すように、操作パネルユニット５を回転させると、係止部材５６が当接部２２ｂに当接する。このとき、係止部材５６は、上述したようにその先端に向かうにつれて細くなるように傾斜面となっているので、当接部２２ｂに引っ掛かることなく、図中の矢印Ａの方向に回転し、突出部５２ｂ内部へ押し込まれる。次に、図３（ｃ）に示すように、係止部材５６が当接部２２ｂを乗り越えると、圧縮コイルばね５７の付勢力により、係止部材５６は突出部５２ｂの下面から突出する。これにより、操作パネルユニット５をプリンタ筐体２２に容易に係止させることができる（使用姿勢）。次に、図３（ｄ）に示すように、操作パネルユニット５が使用姿勢にあってプリンタ筐体２２に係止されているとき、圧縮コイルばね５７の付勢力に抗してボタン部材５３を操作パネル板５１側に押し込むと、係止部材５６は第１連結部材５４及び第２連結部材５５を介して図中の矢印Ｂの方向に回転し、突出部５２ｂ内部に格納され、係止部材５６とプリンタ筐体２２の当接部２２ｃの係止すなわち、操作パネルユニット５の係止状態を解除できる。係止状態を解除すると、操作パネルユニット５を図３（ａ）に示す収納姿勢に回転させることができる。なお、上述したように、ボタン部材５３はリアカバー５２の背面下部に配置されているので、ボタン部材５３を押し込み易い。そのため、リアカバー２２に不要な力が加えられることはなく、リアカバー２２の破損が防止される。
【００２１】
なお、本発明は、上記実施形態の構成に限られず、発明の趣旨を変更しない範囲で種々の変形が可能である。例えば、第１連結部材５４及び第２連結部材５５を、第２連結部材５５が係止部材５６の中央部と両側部それぞれの近傍に当接するように、３組配置したものでもよいし、第１連結部材５４における、リアカバー５２に軸支される部位を、基端側と先端側の間に設けたものであってもよい。
【図面の簡単な説明】
【００２２】
【図１】本発明の一実施形態に係る画像形成装置を示す斜視図。
【図２】同画像形成装置の操作パネルユニットを示す斜視図。
【図３】（ａ）は同操作パネルユニットが収納姿勢にある状態を示す断面図、（ｂ）は操作パネルユニットの係止部材が当接部に当接する状態を示す断面図、（ｃ）は操作パネルユニットが使用姿勢にあり、プリンタ筐体に係止された状態を示す断面図、（ｄ）は、操作パネルユニットが使用姿勢にあり、係止状態が解除された状態を示す断面図。
【符号の説明】
【００２３】
１  画像形成装置
２  筐体
３  スキャナ部
４  画像形成部
５  操作パネルユニット
２１  スキャナ筐体
２２  プリンタ筐体
５１  操作パネル板
５１ａ  操作ボタン
５１ｂ  液晶表示部
５２  リアカバー
５２ｂ  突出部
５３  ボタン部材
５４  第１連結部材
５５  第２連結部材
５６  係止部材
５７  圧縮コイルばね
【図１】
2008203770.tif 000003
【図２】
2008203770.tif 000004
【図３】
2008203770.tif 000005